(57)【特許請求の範囲】
【請求項１】
個体ごとの個別情報がひな型に組み込まれた構成を有する対象が保護対象であり、
前記保護対象に該当する基準対象の基準データを記憶する記憶部と、
処理対象である個体の画像データを取得し、前記処理対象が前記保護対象に該当する可能性を前記基準データと前記画像データとを用いて判定する判定部と、
を備え、
前記基準対象の像が占める領域が仮想的に区分された各領域が判定領域であって、前記判定領域は、前記保護対象に該当する複数の個体にて共通する像を含む共通領域と、前記保護対象に該当する複数の個体にて共通しない像を含む非共通領域とを含み、前記非共通領域において、前記基準対象の像は、前記保護対象に該当する任意の個体の像とは異なり、
前記基準データは、前記判定領域に含まれる像の特徴を示すデータであって、前記共通領域に含まれる像の特徴を示すデータと、前記非共通領域に含まれる像の特徴を示すデータとを含み、
前記判定部は、前記画像データが示す像に各判定領域を当てはめるように前記画像データを取り扱い、前記基準対象の像と前記処理対象の像との前記判定領域ごとの一致度を算出し、前記共通領域に含まれる像の一致度が第１の閾値以上であり、前記非共通領域に含まれる像の一致度が前記第１の閾値よりも小さい所定の閾値以下のとき、前記処理対象が前記保護対象に該当すると判定する
画像処理装置。
【請求項２】
前記共通領域には、前記ひな型部分の像が含まれ、
前記非共通領域には、前記個別情報部分の像が含まれる
請求項１に記載の画像処理装置。
【請求項３】
前記処理対象が前記保護対象に該当すると判定されたとき、前記処理対象の画像の利用を制限する処理を行う判定結果処理部をさらに備える
請求項１または２に記載の画像処理装置。
【請求項４】
前記判定部は、前記基準対象の像のなかで前記共通領域に含まれる像と、前記処理対象
の像のなかで前記共通領域に含まれる像との一致度が前記第１の閾値よりも低い所定の範囲内であるとき、前記処理対象が前記保護対象に類似すると判定し、
前記判定結果処理部は、前記処理対象が前記保護対象に類似すると判定されたとき、前記処理対象の画像の利用について利用者に注意を喚起する処理を行う
請求項３に記載の画像処理装置。
【請求項５】
前記判定結果処理部は、前記処理対象の画像の利用を制限する処理として、前記処理対象の複写物の形成を制限する処理を行う
請求項３または４に記載の画像処理装置。
【請求項６】
前記判定結果処理部は、前記処理対象の画像の利用を制限する処理として、前記処理対象の像を読み取ることによって生成された画像の利用を制限する処理を行う
請求項３または４に記載の画像処理装置。
【請求項７】
前記判定結果処理部は、前記処理対象の画像の利用を制限する処理として、前記処理対象の撮影から得られる画像の利用を制限する処理を行う
請求項３または４に記載の画像処理装置。
【請求項８】
複数の前記判定領域には、互いに異なる形状の判定領域が含まれる
請求項１〜７のいずれか一項に記載の画像処理装置。
【請求項９】
前記保護対象は、１つの物品における１つの面である
請求項１〜８のいずれか一項に記載の画像処理装置。
【請求項１０】
画像処理装置を構成する制御部であって前記画像処理装置の処理を制御する前記制御部を判定部として機能させる画像処理プログラムであって、
個体ごとの個別情報がひな型に組み込まれた構成を有する対象が保護対象であり、
前記画像処理装置を構成する記憶部が、前記保護対象に該当する基準対象の基準データを記憶し、
前記基準対象の像が占める領域が仮想的に区分された各領域が判定領域であって、前記判定領域は、前記保護対象に該当する複数の個体にて共通する像を含む共通領域と、前記保護対象に該当する複数の個体にて共通しない像を含む非共通領域とを含み、前記非共通領域において、前記基準対象の像は、前記保護対象に該当する任意の個体の像とは異なり、
前記基準データが、前記判定領域に含まれる像の特徴を示すデータであって、前記共通領域に含まれる像の特徴を示すデータと、前記非共通領域に含まれる像の特徴を示すデータとを含み、
前記判定部は、処理対象である個体の画像データを取得して、前記画像データが示す像に各判定領域を当てはめるように前記画像データを取り扱い、前記基準対象の像と前記処理対象の像との前記判定領域ごとの一致度を算出し、前記共通領域に含まれる像の一致度が第１の閾値以上であり、前記非共通領域に含まれる像の一致度が前記第１の閾値よりも小さい所定の閾値以下のとき、前記処理対象が前記保護対象に該当すると判定する
画像処理プログラム。
【発明の詳細な説明】
【技術分野】
【０００１】
本発明は、画像の解析に基づく判定を行う画像処理装置、および、画像処理プログラムに関する。
【背景技術】
【０００２】
複写物や撮影物から情報が拡散することを抑えるため、処理対象に対して複写や撮影を制限する技術が開発されている。例えば、複写の禁止を示すデジタルコードが処理対象に記載され、複写機がこのデジタルコードを読み取ったとき、処理対象に対する複写を複写機が停止する技術が知られている（例えば、特許文献１参照）。また、スマートフォンや携帯電話機などの撮影端末が所定の条件を満たすとき、例えば撮影端末の傾きが所定の範囲内であるとき、その撮影端末による撮影を禁止する技術も知られている（例えば、特許文献２参照）。
【先行技術文献】
【特許文献】
【０００３】
【特許文献１】特開２００７−３０６４９４号公報
【特許文献２】特開２００２−２９０８１８号公報
【発明の概要】
【発明が解決しようとする課題】
【０００４】
ところで、複写や撮影を制限することが望まれる処理対象のなかには、運転免許証やクレジットカードのような物品が含まれ、これらの物品においては、個人情報などのように拡散が好ましくない情報がひな型に組み込まれている。このような処理対象に対し、例えば、撮影端末が所定の条件を満たすときに撮影を禁止するとしても、こうした制限は撮影端末のみに依存した制限であるから、ひな型に組み込まれた情報に対しそれの撮影を制限するには限界がある。また、処理対象にデジタルコードを記載することは、ひな型自体の変更を要するため、こうした技術の適用は困難である。結局のところ、特定の形式を有する処理対象に対しそれの複写や撮影を制限することに際しては、まず、特定の形式を有する処理対象をそれの画像から識別することのできる技術が求められている。
本発明は、特定の形式を有する処理対象をそれの画像から識別することのできる画像処理装置、および、画像処理プログラムを提供することを目的とする。
【課題を解決するための手段】
【０００５】
上記課題を解決するための画像処理装置は、個体ごとの個別情報がひな型に組み込まれた構成を有する対象が保護対象であり、前記保護対象に該当する基準対象の基準データを記憶する記憶部と、処理対象である個体の画像データを取得し、前記処理対象が前記保護対象に該当する可能性を前記基準データと前記画像データとを用いて判定する判定部と、を備える。前記基準対象の像が占める領域が仮想的に区分された各領域が判定領域であって、前記判定領域は、前記保護対象に該当する複数の個体にて共通する像を含む共通領域と、前記保護対象に該当する複数の個体にて共通しない像を含む非共通領域とを含み、前記基準データは、前記判定領域に含まれる像の特徴を示すデータであって、少なくとも前記共通領域に含まれる像の特徴を示すデータを含み、前記判定部は、処理対象である個体の画像データを取得して、前記画像データが示す像に各判定領域を当てはめるように前記画像データを取り扱い、前記基準対象の像と前記処理対象の像との前記判定領域ごとの一致度を少なくとも前記共通領域が含まれる範囲に対し算出することに基づいて、前記判定を行う。
【０００６】
上記課題を解決するための画像処理プログラムは、画像処理装置を構成する制御部であって前記画像処理装置の処理を制御する前記制御部を判定部として機能させる画像処理プログラムであって、個体ごとの個別情報がひな型に組み込まれた構成を有する対象が保護対象であり、前記画像処理装置を構成する記憶部が、前記保護対象に該当する基準対象の基準データを記憶し、前記基準対象の像が占める領域が仮想的に区分された各領域が判定領域であって、前記判定領域は、前記保護対象に該当する複数の個体にて共通する像を含む共通領域と、前記保護対象に該当する複数の個体にて共通しない像を含む非共通領域とを含み、前記基準データが、前記判定領域に含まれる像の特徴を示すデータであって、少なくとも前記共通領域に含まれる像の特徴を示すデータを含み、前記判定部は、前記画像データが示す像に各判定領域を当てはめるように前記画像データを取り扱い、前記基準対象の像と前記処理対象の像との前記判定領域ごとの一致度を少なくとも前記共通領域が含まれる範囲に対し算出することに基づいて、前記処理対象が前記保護対象に該当する可能性を判定する。
【０００７】
上記構成によれば、特定の形式を有する対象である保護対象の像が、複数の個体にて共通する判定領域と、複数の個体にて共通しない判定領域とに分けて捉えられる。そして、処理対象と基準対象との間において、少なくとも共通領域を含む範囲での像の一致度が算出され、この算出に基づいて、保護対象に該当する可能性が処理対象に対して判定される。したがって、特定の形式を有する対象の識別が可能である。
上記画像処理装置において、前記共通領域には、前記ひな型部分の像が含まれ、前記非共通領域には、前記個別情報部分の像が含まれてもよい。
上記構成によれば、複数の個体にて共通する共通領域と、複数の個体にて共通しない非共通領域とが的確に実現される。
【０００８】
上記画像処理装置において、前記基準データは、前記非共通領域に含まれる像の特徴を示すデータを含み、前記判定部は、前記基準対象の像のなかで前記非共通領域に含まれる像と、前記処理対象の像のなかで前記非共通領域に含まれる像との一致度を加味して、前記判定を行ってもよい。
上記構成によれば、処理対象が保護対象と同じ形式を有しているか否かがより正確に判定され易くなるため、判定の精度が高められる。
【０００９】
上記画像処理装置は、前記処理対象が前記保護対象に該当すると判定されたとき、前記処理対象の画像の利用を制限する処理を行う判定結果処理部をさらに備える。
【００１０】
上記構成によれば、保護対象に該当すると判定された処理対象の画像の利用が制限されるため、保護対象に該当する対象が含む情報の拡散を抑えることができる。
【００１１】
上記画像処理装置において、前記判定部は、前記基準対象の像のなかで前記共通領域に含まれる像と、前記処理対象の像のなかで前記共通領域に含まれる像との一致度が所定の閾値以上であるとき、前記処理対象が前記保護対象に該当すると判定し、かつ、前記基準対象の像のなかで前記共通領域に含まれる像と、前記処理対象の像のなかで前記共通領域に含まれる像との一致度が前記所定の閾値よりも低い所定の範囲内であるとき、前記処理対象が前記保護対象に類似すると判定する。そして、前記判定結果処理部は、前記処理対象が前記保護対象に類似すると判定されたとき、前記処理対象の画像の利用について利用者に注意を喚起する処理を行ってもよい。
【００１２】
上記構成によれば、処理対象が保護対象に該当する可能性が排除できない場合に、利用者に対する注意の喚起が行われるため、処理対象が保護対象に該当するにもかかわらず、例えば処理対象の汚れや掠れなどに起因して、共通領域における像の一致度が低下している場合であっても、処理対象の画像データが無制限に利用されることが抑えられる。
【００１３】
上記画像処理装置において、前記判定結果処理部は、前記処理対象の画像の利用を制限する処理として、前記処理対象の複写物の形成を制限する処理を行ってもよい。
【００１４】
上記画像処理装置において、前記判定結果処理部は、前記処理対象の画像の利用を制限する処理として、前記処理対象の像を読み取ることによって生成された画像の利用を制限する処理を行ってもよい。
【００１５】
上記画像処理装置において、前記判定結果処理部は、前記処理対象の画像の利用を制限する処理として、前記処理対象の撮影から得られる画像の利用を制限する処理を行ってもよい。
上記各構成によれば、特定の形式を有する対象が含む情報の拡散を的確に抑えることができる。
上記画像処理装置において、複数の前記判定領域には、互いに異なる形状の判定領域が含まれてもよい。
【００１６】
上記構成によれば、判定領域の配置や各判定領域に含まれる像の割り振りの設定についての自由度が高められる。したがって、例えば、ひな型部分と個別情報部分との境界に共通領域と非共通領域との境界を設定することも容易である。
上記画像処理装置において、前記保護対象は、１つの物品における１つの面であってもよい。
【００１７】
上記構成によれば、利用者が１つの物品の保護対象とは異なる面の画像を利用しようとする場合に、不注意によって保護対象である面の画像が利用されることが抑えられる。したがって、保護対象の画像の意図しない利用が生じやすい状況において、こうした利用が抑えられるため、対象が含む情報の拡散を的確に抑えることができる。
【発明の効果】
【００１８】
本発明によれば、特定の形式を有する処理対象をそれの画像から識別することができる。
【図面の簡単な説明】
【００１９】
【図１】画像処理装置の第１実施形態について、画像処理装置の構成を示すブロック図である。
【図２】第１実施形態における画像処理装置が設定する判定領域の構成を基準対象の像と共に示す図である。
【図３】第１実施形態における画像処理装置が実行する処理の手順を示すフローチャートである。
【図４】第２実施形態における画像処理装置が実行する処理の手順を示すフローチャートである。
【図５】変形例の画像処理装置が設定する判定領域の構成を基準対象の像と共に示す図である。
【発明を実施するための形態】
【００２０】
（第１実施形態）
図１〜図３を参照して、画像処理装置、および、画像処理プログラムの第１実施形態について説明する。
【００２１】
［画像処理装置の構成］
図１を参照して、画像処理装置の構成について説明する。
画像処理装置１０は、処理対象の画像データを生成して、処理対象の像を利用した処理を行う装置である。具体的には、画像処理装置１０は、処理対象の像が複写された複写物を形成する機能、処理対象の像に対する読み取りによって生成された画像データを外部装置に送信するスキャン機能、および、処理対象を撮影する機能の少なくとも１つを有する装置である。画像処理装置１０は、例えば、複写機、複合機、スキャナー、デジタルカメラ、スマートフォンなどに具体化される。
【００２２】
画像処理装置１０は、主として、撮像部１１と、記憶部１２と、制御部１３とを備えている。さらに、画像処理装置１０が処理対象の複写物を形成する機能を有する場合、画像処理装置１０は、インクやトナーを用いて紙などの媒体に印刷を行う印刷部を備える。また、画像処理装置１０がスキャン機能を有する場合、画像処理装置１０は、ネットワークを通じた画像処理装置１０と外部装置との接続処理、および、これらの装置間でのデータの送受信を行う通信部を備える。なお、画像処理装置１０が処理対象を撮影する機能を有する場合にも、画像処理装置１０は、通信部を備え、撮影によって生成された画像データを外部装置に送信する機能を有していてもよい。画像処理装置１０は、上述の構成の他に、情報を表示する表示部や利用者の操作を受け付ける操作部を備えている。
【００２３】
撮像部１１は、処理対象を撮像することによって、処理対象の画像データを生成する。処理対象の撮像には、画像処理装置１０が有する載置面に載置された処理対象に対し、その処理対象の像に対する読み取りを行うことが含まれる。こうした撮像を行う撮像部１１は、例えばイメージスキャナに具体化される。また、処理対象の撮像には、画像処理装置１０から離れた処理対象の像に対する読み取りである撮影が含まれ、こうした撮像を行う撮像部１１は、例えばカメラに具体化される。制御部１３は、撮像部１１が生成した画像データを取得する。
【００２４】
記憶部１２は、不揮発性メモリから構成され、制御部１３が実行する処理に必要なプログラムやデータを記憶している。記憶部１２は、データの一例として基準データ１２ａを記憶している。記憶部１２は、プログラムの一例として画像処理プログラムを記憶している。
【００２５】
基準データ１２ａは、制御部１３が保護対象の識別に用いるデータであって、基準対象のデザインを示すデータである。
保護対象は、複写や撮影などを制限することが望まれる対象、すなわち、自身が含む情報の拡散を抑えることが望まれる対象である。保護対象は、所定のひな型に従って構成される有体物であって、保護対象に該当する個体ごとの情報である個別情報がひな型に組み込まれた被写対象である。個別情報は、個人情報などのように拡散が好ましくない情報を含む。保護対象は、例えば、運転免許証、クレジットカード、キャッシュカード、個人番号カード、健康保険証、種々の会員証などであって、個別情報が組み込まれた被写対象に具体化される。これらの物品が有する複数の面の各々に情報が記載されている場合、物品が有する１つの面が保護対象であってもよい。
【００２６】
基準対象は、保護対象を識別するための基準となる対象であって、保護対象に該当し、かつ、保護対象に該当する個体間において共通する構成と、保護対象に該当する個体間において共通しない構成とを含む。基準対象のデザインは、基準対象の像である。基準対象の像が占める領域は、複数の判定領域に区分される。基準データ１２ａは、基準対象の像をパターン認識に利用するためのデータである。詳細には、基準データ１２ａは、基準対象の画像データが画像処理によって数値化されたデータであって、各判定領域に対応する画像データが数値化されたデータである。
【００２７】
複数の判定領域は、共通領域と非共通領域とを含む。共通領域は、保護対象に該当する個体間において共通するべき像を含む領域である。非共通領域は、保護対象に対当する個体間において共通しない像を含む領域である。
【００２８】
制御部１３は、ＣＰＵや、ＲＡＭなどの揮発性メモリを含む。制御部１３は、記憶部１２に記憶されたプログラムやデータに基づいて、撮像部１１における撮像の制御、記憶部１２における情報の読み出しや書き込み、各種の演算処理など、画像処理装置１０が備える各機能部の制御を行う。
【００２９】
制御部１３は、判定部１３ａと判定結果処理部１３ｂとを備えている。
判定部１３ａは、撮像部１１から取得した処理対象の画像データと、記憶部１２に記憶されている基準データ１２ａとを用い、処理対象が保護対象に該当する可能性を判定する。具体的には、判定部１３ａは、処理対象の画像データが示す像に各判定領域を当てはめるように当該画像データを取り扱い、基準対象の像と処理対象の像との判定領域ごとの一致度を算出し、その算出結果に基づいて上記判定を行う。一致度の算出には、公知のパターン認識技術が用いられればよく、基準データ１２ａはこうしたパターン認識に利用することが可能に構成されていればよい。
【００３０】
本実施形態では、判定部１３ａは、処理対象と保護対象との間における共通領域の像の一致度に基づいて、処理対象が保護対象に該当する可能性を三段階に分けて判定する。詳細には、判定部１３ａは、共通領域において、基準対象の像と処理対象の像との一致度が第１閾値以上であるとき、処理対象が保護対象に該当すると判定する。また、判定部１３ａは、共通領域において、基準対象の像と処理対象の像との一致度が第１閾値よりも低い第２閾値以下であるとき、処理対象が保護対象に該当しないと判定する。また、判定部１３ａは、共通領域において、基準対象の像と処理対象の像との一致度が第２閾値を超え第１閾値未満であるとき、処理対象が保護対象に該当する可能性が排除できない、すなわち、処理対象が保護対象に類似すると判定する。
【００３１】
判定結果処理部１３ｂは、判定部１３ａによる判定結果に応じた処理を行う。詳細には、判定結果処理部１３ｂは、処理対象が保護対象に該当すると判定されたとき、撮像部１１が生成した処理対象の画像データの利用を制限する処理を行う。
【００３２】
具体的には、判定結果処理部１３ｂは、撮像部１１によって処理対象が撮像された目的が処理対象の複写であるとき、すなわち、処理対象に対する複写処理の実行を指示する信号が制御部１３に入力されているとき、処理対象の画像データを用いた複写処理を停止する。これによって、判定結果処理部１３ｂは、処理対象に対しその複写物の形成を制限する。なお、制御部１３が実行する複写処理には、撮像部１１に対する指示であって処理対象の撮像を実行させる指示の出力から、上記印刷部に対する指示であって複写物の形成を実行させる指示の出力までが含まれる。
【００３３】
判定結果処理部１３ｂは、撮像部１１によって処理対象が撮像された目的が処理対象のスキャンであるとき、すなわち、処理対象に対するスキャン処理の実行を指示する信号が制御部１３に入力されているとき、処理対象の画像データを外部装置へ送信することを禁止する。これによって、判定結果処理部１３ｂは、処理対象のスキャン、すなわち、処理対象の像に対する読み取りによって生成された画像の利用を制限する。なお、制御部１３が実行するスキャン処理には、撮像部１１に対する指示であって処理対象の撮像を実行させる指示から、上記通信部に対する指示であって画像データの外部装置への送信を実行させる指示までが含まれる。
【００３４】
また、判定結果処理部１３ｂは、撮像部１１によって処理対象が撮像された目的が処理対象の撮影であるとき、すなわち、処理対象に対する撮影処理の実行を指示する信号が制御部１３に入力されているとき、処理対象を撮影した静止画を示す撮影データとして処理対象の画像データを利用することを禁止する。例えば、判定結果処理部１３ｂは、処理対象の画像データを記憶部１２に保存することや、処理対象の画像データを外部装置に送信することを禁止する。これによって、判定結果処理部１３ｂは、処理対象の撮影から得られた画像の利用を制限する。なお、制御部１３が実行する撮影処理には、撮像部１１に対する指示であって処理対象の撮像を実行させる指示から、記憶部１２や通信部に対する指示であって画像データの保存や送信を実行させる指示など、処理対象の画像データを用いた処理を完結させる指示までが含まれる。
【００３５】
また、判定結果処理部１３ｂは、処理対象が保護対象に該当しないと判定されたとき、処理対象の画像データの利用を制限する上述の処理を行わない。すなわち、処理対象の複写物の形成や、スキャン機能による画像データの外部装置への送信や、画像データの撮影データとしての利用など、処理対象の画像データを用いた各種の処理が許容される。
【００３６】
また、判定結果処理部１３ｂは、処理対象が保護対象に類似すると判定されたとき、処理対象の画像データの利用について利用者に注意を喚起する処理を行う。例えば、判定結果処理部１３ｂは、画像処理装置１０が備える表示部に、処理対象が保護対象に該当する物品である可能性を指摘する警告や、処理対象が保護対象に該当する物品であるか否かの確認を利用者に促す警告を表示する。こうした警告に際して、画像処理装置１０は、利用者に所定の操作を要求し、その要求された操作が実行されることによって、処理対象の画像データの利用について利用者の承諾を得てもよい。
【００３７】
なお、利用者に注意を喚起する処理は、上述の例に限らず、利用者への注意の喚起が可能であれば、例えば音声で警告を発する処理であってもよい。そして、判定結果処理部１３ｂは、こうした注意喚起処理の後に、利用者によって複写やスキャンや撮影の停止を指示する操作が画像処理装置１０に対して行われた場合を除き、処理対象の画像データの利用を許容する。
【００３８】
判定部１３ａおよび判定結果処理部１３ｂは、複数のＣＰＵや、ＲＡＭなどからなるメモリなどの各種のハードウェアと、これらを機能させるソフトウェアとによって各別に具体化されてもよく、あるいは、共通する１つのハードウェアに複数の機能を与えるソフトウェアによって具体化されてもよい。こうしたソフトウェアは、画像処理プログラムとして記憶部１２に記憶される。画像処理プログラムを含むソフトウェアは、予め画像処理装置１０にインストールされていてもよいし、ユーザーの指示に基づいて、ネットワークを通じたダウンロードを経て画像処理装置１０にインストールされてもよい。
【００３９】
［基準データの構成］
基準データ１２ａは、基準対象に対して設定される判定領域ごとに、基準対象の像の特徴を示すデータである。換言すれば、基準データ１２ａは、各判定領域に含まれる線などの像の要素について、それの形状や色などの特徴を数値化したデータである。なお、基準対象に組み込まれる個別情報は、架空の情報、あるいは、個別情報が含まれていないことが制御部１３に認識される空白などであればよい。すなわち、基準対象における個別情報部分の像は、架空の情報を示す像か、空白の像である。
【００４０】
上記判定領域について図２を参照して説明する。図２に示される対象２０は基準対象の一例であり、図２においては、非共通領域Ｄｂに該当する領域をドットを付して示している。
【００４１】
図２が示すように、基準対象の像や処理対象の像は、互いに同じ大きさを有する画像データとして判定部１３ａでは取り扱われる。各判定領域Ｄは、基準対象の像に対し仮想的に定められる領域であり、また、処理対象の像に対し仮想的に定められる領域でもある。各判定領域Ｄに含まれる像は、基準対象の像の一部、あるいは、処理対象の像の一部である。
【００４２】
画像処理装置１０による画像処理に際しては、処理対象の画像データが所定の処理領域に記憶される。各判定領域Ｄは、画像データが占める処理領域の一部として判定部１３ａでは取り扱われる。記憶部１２は、画像データが占める処理領域を各判定領域Ｄに分けるためのデータを予め記憶している。判定部１３ａは、記憶部１２に記憶されたこのデータを用い、画像データが占める処理領域を判定領域Ｄごとに取り扱う。
【００４３】
各判定領域Ｄは、例えば、基準対象の像に対し仮想的に定められる矩形状の領域である。各判定領域Ｄは、互いに同一の形状を有し、隙間なく、かつ、重ならないようにマトリクス状に定められている。各判定領域Ｄの大きさは、判定領域Ｄに含まれる像がパターン認識用に数値化された際に、１つの判定領域Ｄずつ、処理対象と保護対象との間で的確なパターン認識が可能な程度の大きさであればよい。
【００４４】
判定部１３ａによる判定の精度が高められる観点から、各判定領域Ｄの大きさは、ひな型に含まれる文字の１文字よりも大きいことが好ましく、２文字以上を含む大きさであることがさらに好ましい。また、判定部１３ａによる判定の精度が高められる観点から、ひな型部分と個別情報部分との境界が、互いに隣り合う判定領域Ｄの境界であるように、各判定領域Ｄの位置が定められることが好ましい。ひな型部分とは、基準対象の像なかでひな型自体が示す文字や図柄の像であり、個別情報部分とは、基準対象の像のなかでひな型に組み込まれた個人情報を示す部分である。すなわち、ひな型部分と個別情報部分とは、互いに異なる判定領域Ｄに含まれることが好ましい。
【００４５】
複数の判定領域Ｄは、共通領域Ｄａである判定領域Ｄと、非共通領域Ｄｂである判定領域Ｄとから構成される。共通領域Ｄａは、判定領域Ｄに含まれる像が、基準対象におけるひな型部分に属する要素である判定領域Ｄである。非共通領域Ｄｂは、判定領域Ｄに含まれる像が、基準対象における個別情報部分に属する要素である判定領域Ｄである。なお、判定領域Ｄが、基準対象におけるひな型部分の像と個別情報部分の像との双方を含む場合には、その判定領域Ｄは非共通領域Ｄｂである。すなわち、共通領域Ｄａは、ひな型部分の像のみを含む。
【００４６】
上記構成において、共通領域Ｄａに含まれる像は、保護対象に該当する複数の個体にて共通であり、非共通領域Ｄｂに含まれる像は、保護対象に該当する複数の個体にて共通しない。換言すれば、処理対象の画像データが示す像と基準データ１２ａが示す基準対象の像との間において、各判定領域Ｄに含まれる像の一致度が検証され、処理対象である個体が保護対象であるとき、共通領域Ｄａとは、そこに含まれる像を一致させるための領域であり、非共通領域Ｄｂとは、そこに含まれる像を一致させないための領域である。
【００４７】
基準データ１２ａは、各判定領域Ｄに含まれる像の特徴を示すデータである。基準データ１２ａは、１つの基準対象に対して設定されたすべての判定領域Ｄについて、特徴を示すデータを含む。基準データ１２ａは、基準対象に対する判定領域Ｄの位置と、特徴を示すデータとを対応付けている。また、基準データ１２ａは、共通領域Ｄａと非共通領域Ｄｂとのいずれかと、特徴を示すデータとを対応付けている。
【００４８】
基準データ１２ａは、例えば、画像処理装置１０が処理対象の像を取得する処理よりも前に、画像処理装置１０の記憶部１２に記憶されている。記憶部１２は、互いに異なる複数の保護対象について、保護対象に対応する基準データ１２ａを１つの保護対象ずつ記憶していてもよい。
【００４９】
［画像処理装置の処理手順］
図３を参照して、画像処理装置１０の処理手順について説明する。図３に示すフローは、処理対象の撮像を実行するための指示が、制御部１３から撮像部１１へ入力される度に行われる処理の流れを示す。こうした指示は、例えば、画像処理装置１０の利用者が画像処理装置１０に対して所定の操作を行うことによって、処理対象の複写処理、スキャン処理、もしくは、撮影処理の実行を指示する信号が制御部１３に入力されることに基づいて行われる。
図３が示すように、ステップＳ１０の処理として、撮像部１１は、処理対象を撮像し、処理対象の画像データを生成する。
【００５０】
画像データが生成されると、続いて、ステップＳ１１の処理として、判定部１３ａは、撮像部１１が生成した処理対象の画像データと、記憶部１２が記憶している基準対象の基準データ１２ａとを用い、処理対象と基準対象との間において、共通領域Ｄａにおける像の一致度を算出する。詳細には、判定部１３ａは、処理対象の画像データを判定領域Ｄごとに取り扱い、処理対象の像のなかで共通領域Ｄａに含まれる像の特徴を数値化し、その数値化されたデータと基準データ１２ａとを比較する。そして、判定部１３ａは、１つの共通領域Ｄａずつ、処理対象の像と基準対象の像との一致度を算出する。一致度は、例えば、百分率として算出される。さらに、判定部１３ａは、各共通領域Ｄａについて算出した一致度を平均して、処理対象においてすべての共通領域Ｄａに含まれる像と、基準対象においてすべての共通領域Ｄａに含まれる像との一致度を算出する。
【００５１】
続いて、ステップＳ１２およびステップＳ１３の処理として、判定部１３ａは、すべての共通領域Ｄａに対する一致度が、第１閾値以上、第２閾値を超え第１閾値未満、および、第２閾値以下のいずれの範囲に含まれるかを判断することによって、処理対象が保護対象に該当する可能性を判定する。第１閾値と第２閾値とは、保護対象における情報の保護の必要性やパターン認識の精度に応じて適宜設定されればよいが、例えば、第１閾値は９０％とされ、第２閾値は５０％とされる。
【００５２】
まず、ステップＳ１２の処理として、判定部１３ａは、すべての共通領域Ｄａに対する一致度が、第１閾値以上であるか否かを判断する。すべての共通領域に対する一致度が第１閾値以上であるとき、処理対象は保護対象に該当すると判定される。処理対象が保護対象に該当すると判定されたとき（ステップＳ１２にて肯定判定）、ステップＳ１４の処理に進む。
【００５３】
ステップＳ１４の処理として、判定結果処理部１３ｂは、画像データを用いた処理対象の複写処理を停止、あるいは、スキャン機能による画像データの外部装置への送信を禁止、あるいは、画像データの撮影データとしての利用を禁止することによって、処理対象の画像データの利用を制限する。
【００５４】
ステップＳ１２の処理にて、すべての共通領域Ｄａに対する一致度が、第１閾値以上でないと判断されたとき（ステップＳ１２にて否定判定）、ステップＳ１３の処理に進み、判定部１３ａは、すべての共通領域Ｄａに対する一致度が、第２閾値を超え第１閾値未満であるか否かを判断する。すべての共通領域Ｄａに対する一致度が第２閾値を超え第１閾値未満であるとき、処理対象は保護対象に類似すると判定される。処理対象が保護対象に類似すると判定されたとき（ステップＳ１３にて肯定判定）、ステップＳ１５の処理に進む。
【００５５】
ステップＳ１５の処理として、判定結果処理部１３ｂは、処理対象の画像データの利用について利用者に注意を喚起する処理を行った後、処理対象の画像データの利用を許容する。なお、利用者によって複写やスキャンや撮影の停止を指示する操作が画像処理装置１０に対して行われた場合には、複写やスキャンや撮影が停止される。
【００５６】
ステップＳ１３の処理にて、すべての共通領域Ｄａに対する一致度が、第２閾値を超え第１閾値未満でないと判断されたとき（ステップＳ１３にて否定判定）、すなわち、共通領域全体の一致度が第２閾値以下であると判断されたとき、処理対象は保護対象に該当しないと判定され、ステップＳ１６の処理に進む。
【００５７】
ステップＳ１６の処理として、判定結果処理部１３ｂは、処理対象の画像データの利用を許容する。すなわち、判定結果処理部１３ｂは、処理対象の複写処理の停止や、スキャン機能による画像データの外部装置への送信の禁止や、画像データの撮影データとしての利用の禁止を行わず、制御部１３は、処理対象の複写処理もしくはスキャン処理もしくは撮影処理を続行する。
【００５８】
なお、上記フローにおいては、すべての共通領域Ｄａに対する一致度が、第１閾値以上であるか否かが判断された後に、第２閾値を超え第１閾値未満であるか否かが判断されたが、こうした判断の順番は特に限定されない。要は、すべての共通領域Ｄａに対する一致度が、第１閾値以上、第２閾値を超え第１閾値未満、および、第２閾値以下のいずれの範囲に含まれるかが判断され、判断の結果に応じた処理が判定結果処理部１３ｂによって行われればよい。
【００５９】
［作用］
第１実施形態の画像処理装置１０の作用について説明する。第１実施形態の画像処理装置１０では、基準対象の基準データ１２ａと、処理対象の画像データとを用いて、基準対象の像と処理対象の像との比較が行われ、処理対象が保護対象に該当すると判定された場合に、処理対象の画像データに対しその利用が制限される。特に、基準対象が共通領域Ｄａと非共通領域Ｄｂとに分けられて、基準対象の像と処理対象の像との一致度が共通領域Ｄａに対して算出され、この一致度に基づいて、処理対象が保護対象に該当する可能性が判定される。
【００６０】
所定のひな型に個別情報が組み込まれた構成を有する物品においては、各個体が互いに異なる像を有する。そのため、これらの個体の像を予めすべて画像処理装置に登録して、登録された像と一致する処理対象の処理を禁止することは、現実的には困難である。
【００６１】
これに対し、本実施形態では、処理対象の像が、物品の各個体間にて共通する像を含む共通領域Ｄａと、物品の各個体間にて共通しない像を含む非共通領域Ｄｂとに分けて捉えられ、共通領域Ｄａに対して、基準対象の像と処理対象の像とが比較される。したがって、特定の形式を有する処理対象をすべての処理対象のなかから保護対象として的確に判別して、この処理対象の画像データの利用を制限することができる。その結果、特定の形式を有する処理対象が含む情報の拡散を抑えることができる。
【００６２】
例えば、身分の確認などを目的として、保護対象に該当する処理対象がそれの所有者から事業者などの第三者に受け渡されるとする。この際、複写物の形成に画像処理装置１０が用いられれば、保護対象に該当する処理対象の複写物が第三者によって不正に形成されることや、保護対象に該当する処理対象の複写物が誤って形成されることが抑えられる。また例えば、各種の申し込みなどに際して、撮影によって生成された画像データが撮影装置から外部装置に送信される場合、撮影装置として画像処理装置１０が用いられるとする。この際においても、保護対象に該当する処理対象が誤って撮影されること、あるいは、保護対象に該当する処理対象の画像データが誤って送信されることが抑えられる。
【００６３】
特に、保護対象が１つの物品の有する１つの面である場合に、例えば、当該物品の他の面を複写などすることを目的として、利用者が誤って保護対象である面を複写などすることがある。こうした誤りにおいても、画像処理装置１０によれば、保護対象に該当する処理対象の画像データが誤って利用されることが抑えられる。したがって、人為的なミスによる情報の拡散が的確に抑えられる。
【００６４】
また、基準対象の像と処理対象の像との一致度を判定領域Ｄごとに算出するため、基準対象の全体像と処理対象の全体像を比較する場合と比べて、判定の精度が高められる。例えば、処理対象の一部が汚れていたり、処理対象における一部の記載が薄くなっていたりする場合のように、処理対象の一部が本来の状態とは異なる場合であっても、実際には保護対象に該当する処理対象を、保護対象に該当しないと誤判定することが抑えられる。
【００６５】
以上説明したように、第１実施形態の画像処理装置および画像処理プログラムによれば、以下に列挙する効果を得ることができる。
（１）特定の形式を有する保護対象の像が、複数の個体にて共通する共通領域Ｄａと、複数の個体にて共通しない非共通領域Ｄｂとに分けて捉えられる。そして、処理対象と基準対象との間において、共通領域Ｄａでの像の一致度が算出され、この算出に基づいて、保護対象に該当する可能性が処理対象に対して判定される。したがって、特定の形式を有する処理対象の識別が可能である。
【００６６】
さらに、処理対象が保護対象に該当すると判定されたとき、処理対象の画像データの利用が制限される。したがって、特定の形式を有する処理対象が含む情報の拡散を抑えることができる。
【００６７】
（２）共通領域Ｄａには、基準対象におけるひな型部分の像が含まれ、非共通領域Ｄｂには、基準対象における個別情報部分の像が含まれる。したがって、保護対象に該当する複数の個体にて共通する像を含む共通領域Ｄａと、保護対象に該当する複数の個体にて共通しない像を含む非共通領域Ｄｂとが、画像処理装置１０において的確に区別される。
【００６８】
（３）判定部１３ａは、共通領域Ｄａにおける像の一致度が第１閾値以上であるとき、処理対象が保護対象に該当すると判定し、かつ、共通領域Ｄａにおける像の一致度が第１閾値よりも低い所定の範囲内であるとき、処理対象が保護対象に類似すると判定する。そして、判定結果処理部１３ｂは、処理対象が保護対象に類似すると判定されたとき、処理対象の画像の利用について利用者に注意を喚起する処理を行う。
【００６９】
このように、判定部１３ａは、処理対象が保護対象に該当するか否かの二段階よりも多い段階に分けて判定を行い、処理対象が保護対象に該当する可能性が排除できない場合には、利用者に対する注意の喚起が行われる。こうした構成によれば、処理対象が保護対象に該当するにもかかわらず、例えば処理対象の汚れや掠れなどに起因して、共通領域における像の一致度が低下している場合であっても、処理対象の画像データが無制限に利用されることが抑えられる。
【００７０】
（４）判定結果処理部１３ｂは、処理対象が保護対象に該当すると判定されたとき、処理対象の複写物の形成を制限する処理、処理対象の像の読み取りによって生成された画像の利用を制限する処理、および、処理対象の撮影から得られる画像の利用を制限する処理のいずれかを行う。こうした構成によれば、保護対象が含む情報の拡散を的確に抑えることができる。
【００７１】
（５）保護対象が物品における１つの面であるとき、保護対象とは異なる面の複写などを行う利用者が、不注意によって保護対象である面の複写などを行うことが抑えられる。したがって、保護対象の画像データの意図しない利用が生じやすい状況において、こうした利用が抑えられるため、保護対象が含む情報の拡散を的確に抑えることができる。
【００７２】
（第２実施形態）
図４を参照して、画像処理装置、および、画像処理プログラムの第２実施形態について説明する。第２実施形態は、第１実施形態と比較して、判定部１３ａによる判定の態様が異なる。以下では、第１実施形態との相違点を中心に説明し、第１実施形態と同様の構成については同じ符号を付してその説明を省略する。
【００７３】
［画像処理装置の構成］
第２実施形態では、判定部１３ａは、基準対象の像と処理対象の像との一致度を共通領域Ｄａと非共通領域Ｄｂとに対し算出し、非共通領域Ｄｂにおける像の一致度を加味した判定を行う。すなわち、判定部１３ａは、基準対象の像と処理対象の像との一致度の算出をすべての判定領域Ｄに適用する。
【００７４】
判定部１３ａは、共通領域Ｄａにおいて、基準対象の像と処理対象の像との一致度が第１閾値以上であり、かつ、非共通領域Ｄｂにおいて、基準対象の像と処理対象の像との一致度が所定の範囲である制限範囲内であるとき、処理対象が保護対象に該当すると判定する。
【００７５】
また、判定部１３ａは、共通領域Ｄａにおいて、基準対象の像と処理対象の像との一致度が第２閾値以下であるとき、処理対象が保護対象に該当しないと判定する。
【００７６】
また、判定部１３ａは、共通領域Ｄａおよび非共通領域Ｄｂにおける像の一致度が、上記の処理対象が保護対象に該当すると判定される条件、および、処理対象が保護対象に該当しないと判定される条件のいずれも満たさないとき、処理対象が保護対象に類似すると判定する。
【００７７】
制限範囲は、例えば、１０％以下のように、所定の閾値以下を示す。これは、非共通領域Ｄｂにおける像の一致度が制限範囲内であるとき、非共通領域Ｄｂにおいて基準対象の像と処理対象の像との一致度が低いことを示す。
【００７８】
また例えば、制限範囲は、１０％以上５０％以下のように、０よりも大きい範囲内で下限と上限とを有する範囲であってもよい。これは、非共通領域Ｄｂにおける像の一致度が制限範囲内であるとき、非共通領域Ｄｂにおいて、基準対象の像と処理対象の像とが、制限範囲の示す範囲に応じた類似性を有していることを示す。
【００７９】
例えば、保護対象に該当する個体にて非共通領域Ｄｂにおける像が人の顔の像である場合、処理対象における非共通領域Ｄｂの像が人の顔であるときに、一致度が制限範囲内となるように、基準対象における非共通領域Ｄｂの像と制限範囲とが設定される。また、処理対象における非共通領域Ｄｂにおける像が文字などであって人の顔でないときに、一致度が制限範囲外となるように、基準対象における非共通領域Ｄｂの像と制限範囲とが設定される。すなわち、上記構成においては、処理対象における非共通領域Ｄｂの像が、保護対象に該当する個体における非共通領域Ｄｂの像と同種の像であるときに、非共通領域Ｄｂにおける像の一致度が制限範囲内に入る。こうした構成によれば、処理対象が保護対象と同じ形式を有しているか否かが的確に判定されるため、判定部１３ａによる判定の精度が高められる。なお、この場合、基準対象における非共通領域Ｄｂの像、すなわち個別情報部分の像は、架空の個別情報や空白の像に限らず、処理対象が保護対象と同じ形式を有しているか否かに応じて一致度に差が出やすいように設定されていればよい。
【００８０】
［画像処理装置の処理手順］
図４を参照して、画像処理装置１０の処理手順について説明する。図４に示すフローは、処理対象の撮像を実行するための指示が制御部１３から撮像部１１へ入力される度に行われる処理の流れを示す。
図４が示すように、ステップＳ２０の処理として、撮像部１１は、処理対象を撮像し、処理対象の画像データを生成する。
【００８１】
画像データが生成されると、続いて、ステップＳ２１の処理として、判定部１３ａは、撮像部１１が生成した処理対象の画像データと、記憶部１２が記憶している基準対象の基準データ１２ａとを用い、処理対象と基準対象との間において、共通領域Ｄａおよび非共通領域Ｄｂにおける像の一致度を算出する。詳細には、判定部１３ａは、処理対象の画像データを判定領域Ｄごとに取り扱い、各判定領域Ｄに含まれる像の特徴を数値化し、その数値化されたデータと基準データ１２ａとを比較する。そして、判定部１３ａは、判定領域Ｄごとに、処理対象の像と基準対象の像との一致度を算出する。さらに、判定部１３ａは、各共通領域Ｄａについて算出した一致度を平均して、処理対象においてすべての共通領域Ｄａに含まれる像と、基準対象においてすべての共通領域Ｄａに含まれる像との一致度を算出する。また、判定部１３ａは、各非共通領域Ｄｂについて算出した一致度を平均して、処理対象においてすべての非共通領域Ｄｂに含まれる像と、基準対象においてすべての非共通領域Ｄｂに含まれる像との一致度を算出する。
【００８２】
続いて、ステップＳ２２およびステップＳ２３の処理として、判定部１３ａは、すべての共通領域Ｄａに対する一致度と、すべての非共通領域Ｄｂに対する一致度とに基づいて、処理対象が保護対象に該当する可能性を判定する。
【００８３】
まず、ステップＳ２２の処理として、判定部１３ａは、すべての共通領域Ｄａに対する一致度が第１閾値以上であり、かつ、すべての非共通領域Ｄｂに対する一致度が制限範囲内であるか否かを判断する。すべての共通領域Ｄａに対する一致度と、すべての非共通領域Ｄｂに対する一致度とがこの条件を満たすとき、処理対象は保護対象に該当すると判定される。処理対象が保護対象に該当すると判定されたとき（ステップＳ２２にて肯定判定）、ステップＳ２４の処理に進む。
【００８４】
ステップＳ２４の処理として、判定結果処理部１３ｂは、画像データを用いた処理対象の複写処理を停止、あるいは、スキャン機能による画像データの外部装置への送信を禁止、あるいは、撮影データとしての画像データの利用を禁止することによって、処理対象の画像データの利用を制限する。
【００８５】
ステップＳ２２の処理にて、すべての共通領域Ｄａに対する一致度と、すべての非共通領域Ｄｂに対する一致度とが上記条件を満たさないと判断されたとき（ステップＳ２２にて否定判定）、ステップＳ２３の処理に進む。そして、判定部１３ａは、すべての共通領域Ｄａに対する一致度が、第２閾値以下であるか否かを判断する。すべての共通領域Ｄａに対する一致度が第２閾値以下であるとき、処理対象は保護対象に該当しないと判定される。処理対象が保護対象に該当しないと判定されたとき（ステップＳ２３にて肯定判定）、ステップＳ２５の処理に進む。
【００８６】
ステップＳ２５の処理として、判定結果処理部１３ｂは、処理対象の画像データの利用を許容する。すなわち、判定結果処理部１３ｂは、処理対象の複写処理の停止や、スキャン機能による画像データの外部装置への送信の禁止や、画像データの撮影データとしての利用の禁止を行わず、制御部１３は、処理対象の複写処理もしくはスキャン処理もしくは撮影処理を続行する。
【００８７】
ステップＳ２３の処理にて、すべての共通領域Ｄａの一致度が、第２閾値以下でないと判断されたとき（ステップＳ２３にて否定判定）、処理対象は保護対象に類似すると判定され、ステップＳ２６の処理に進む。
【００８８】
ステップＳ２６の処理として、判定結果処理部１３ｂは、処理対象の画像データの利用について利用者に注意を喚起する処理を行った後、処理対象の画像データの利用を許容する。なお、利用者によって複写やスキャンや撮影の停止を指示する操作が画像処理装置１０に対して行われた場合には、複写やスキャンや撮影が停止される。
【００８９】
以上のように、第２実施形態の画像処理装置１０においては、非共通領域Ｄｂにおける像の一致度を加味して、処理対象が保護対象に該当する可能性が判定される。したがって、処理対象が保護対象と同じ形式を有しているか否かがより正確に判定されるため、判定の精度が高められる。
【００９０】
以上説明したように、第２実施形態の画像処理装置および画像処理プログラムによれば、第１の実施形態の（１）〜（５）の効果に加えて、以下に列挙する効果を得ることができる。
（６）非共通領域Ｄｂにおける像の一致度を加味して、処理対象が保護対象に該当する可能性が判定されるため、判定部１３ａによる判定の精度が高められる。
【００９１】
（変形例）
上記各実施形態は、以下のように変更して実施することが可能である。
・上記各実施形態においては、複数の判定領域Ｄの形状は同一であったが、複数の判定領域Ｄには、互いに異なる形状の判定領域Ｄが含まれてもよい。例えば、図５が示すように、共通領域Ｄａは、基準対象におけるひな型部分に合わせた形状とされ、非共通領域Ｄｂは、基準対象における個別情報部分に合わせた形状とされてもよい。こうした構成によれば、判定領域Ｄの配置や各判定領域Ｄに含まれる像の割り振りの自由度が高められるため、ひな型部分と個別情報部分との境界に共通領域Ｄａと非共通領域Ｄｂとの境界を設定することが容易である。したがって、共通領域Ｄａにひな型部分の像のみが含まれ、非共通領域Ｄｂに個別情報部分の像のみが含まれる構成が容易に実現できる。こうした構成においては、共通領域Ｄａに含まれる像の比較によって、保護対象に該当する複数の個体にて共通する部分のすべての像が比較されるため、判定の精度が高められる。なお、互いに隣接する判定領域Ｄの間には、隙間が空いていてもよい。
【００９２】
・保護対象が、個別情報に加えて、性別の記載などのように複数の種類から選択される情報である選択情報がひな型に組み込まれた構成を有する場合、すなわち、保護対象に該当する複数の個体の一部の個体にて共通する像を含む場合、以下の処理が行われればよい。
例えば、一部の個体にて共通する像を含む判定領域Ｄが、非共通領域Ｄｂとされ、この領域は基準対象と処理対象との間で像が一致すべき領域として取り扱われなくてもよい。
【００９３】
また例えば、記憶部１２は、選択情報の種類ごとに、各別の基準データ１２ａを記憶する。そして、一部の個体にて共通する像を含む判定領域Ｄは、共通領域Ｄａとされ、判定部１３ａは、処理対象の画像データに基づき各判定領域Ｄに含まれる像の特徴を数値化したデータを、各基準データ１２ａと比較することによって、基準データ１２ａごとに判定を行ってもよい。
【００９４】
また例えば、１つの基準データ１２ａにおいて、一部の個体にて共通する像を含む判定領域Ｄについては、選択情報における各種の情報を示す像の特徴を示すデータの各々と判定領域Ｄとが対応付けられる。そして、一部の個体にて共通する像を含む判定領域Ｄは、共通領域Ｄａとされ、判定部１３ａは、処理対象の画像データに基づき上記判定領域Ｄに含まれる像の特徴を数値化したデータを、基準データ１２ａにて上記判定領域Ｄに対応付けられているデータの各々と比較することによって判定を行ってもよい。
【００９５】
・上記各実施形態では、判定部１３ａは、処理対象が保護対象に該当する可能性を三段階に分けて判定したが、判定の態様はこれに限らない。例えば、判定部１３ａは、処理対象が保護対象に該当するか否かの二段階に分けて判定を行ってもよいし、処理対象の保護対象に対する類似の程度を二段階以上に分けて、全体として四段階以上に分けて判定を行ってもよい。
【００９６】
・上記各実施形態では、判定部１３ａの判定に際して、各共通領域Ｄａあるいは各非共通領域Ｄｂについて算出された一致度が平均されて、すべての共通領域Ｄａあるいはすべての非共通領域Ｄｂに対する一致度が求められ、この全体の一致度が、処理対象が保護対象に該当する可能性の判定の基準である閾値との比較に用いられた。これを変更し、例えば、共通領域Ｄａごとや非共通領域Ｄｂごとに、一致度が閾値と比較され、条件を満たす判定領域Ｄの数の全数に対する割合に応じて、処理対象が保護対象に該当する可能性が判定されてもよい。例えば、一致度が第１閾値以上である共通領域Ｄａの数が、共通領域Ｄａの全数の９割以上であるときに、処理対象が保護対象に該当すると判定されてもよい。またあるいは、複数の共通領域Ｄａの各々の像の一致度がすべて第１閾値以上であるときに、処理対象が保護対象に該当すると判定されてもよい。こうした場合には、判定領域Ｄごとに異なる閾値が設定されてもよい。
【００９７】
・処理対象が保護対象に該当すると判定されたときに判定結果処理部１３ｂによって行われる処理は、処理対象の画像データの利用を制限する処理であれば、上記各実施形態の処理に限られない。例えば、判定結果処理部１３ｂは、画像データの示す画像に所定の文言や模様を付加したり、画像の一部や全部を被覆したりしてもよい。すなわち、複写物や、保存あるいは外部装置に送信される画像データが、処理対象の像とは異なる像を示すように画像データを加工してもよい。
【００９８】
・処理対象が保護対象に類似すると判定されたときに判定結果処理部１３ｂが行う処理は、処理対象の画像データの利用について利用者に注意を喚起する処理でなくてもよい。例えば、判定結果処理部１３ｂは、所定の用紙を用いた複写のみを許可するなど、処理対象が保護対象に該当すると判定されたときと比較して、処理対象の画像データに対する利用の制限を弱くしてもよい。
【００９９】
・第２実施形態においては、処理対象が保護対象に該当すると判定される条件にのみ、非共通領域Ｄｂにおける像の一致度が加味されたが、処理対象が保護対象に類似すると判定される条件や、処理対象が保護対象に該当しないと判定される条件にも、非共通領域Ｄｂにおける像の一致度が加味されてもよい。また、処理対象が保護対象に該当する可能性の判定に像の一致度が加味される非共通領域Ｄｂは、複数の非共通領域Ｄｂの一部であってもよい。
【０１００】
・基準データ１２ａは、基準対象に対して設定された判定領域Ｄのなかで、一部の判定領域Ｄの像の特徴を示すデータであってもよい。例えば、第１実施形態にて、基準データ１２ａは、共通領域Ｄａの像の特徴を示すデータのみを含んでいてもよい。要は、基準データ１２ａは、少なくとも判定部１３ａの判定に用いられる判定領域Ｄのデータを含んでいればよい。
【０１０１】
・処理対象が保護対象に該当する可能性の判定に用いられた画像データと、処理対象が保護対象に該当しないと判定されたときに、複写処理やスキャン処理や撮影処理にて用いられる画像データとは、同一の処理対象から得られた画像データであれば、互いに異なるデータであってもよい。例えば、制御部１３が撮影処理を行う場合、撮影タイミングを決定する操作が利用者によって行われる前に、撮像部１１に捉えられている像の画像データが、判定に用いられてもよい。そして、撮影タイミングの決定に基づいて生成された画像データが撮影データとして利用されてもよい。この場合、処理対象が保護対象に該当すると判定されたときには、判定結果処理部１３ｂは、撮影タイミングの決定を無効としてもよい。要は、処理対象が保護対象に該当すると判定されたときに判定結果処理部１３ｂが行う処理は、処理対象の画像の利用を制限する処理であれば、判定に用いられた画像データとは関連しない処理であってもよい。
【０１０２】
・画像処理装置１０は、少なくとも、基準データ１２ａを記憶する記憶部１２と、処理対象の画像データを取得し、処理対象が保護対象に該当する可能性を基準データ１２ａと画像データとを用いて判定する判定部１３ａとを備える装置であればよい。こうした装置であれば、特定の形式を有する処理対象の識別は可能である。
【符号の説明】
【０１０３】
１０…画像処理装置、１１…撮像部、１２…記憶部、１２ａ…基準データ、１３…制御部、１３ａ…判定部、１３ｂ…判定結果処理部、Ｄ…判定領域、Ｄａ…共通領域、Ｄｂ…非共通領域。
【図１】
0006606892.tif 000002
【図２】
0006606892.tif 000003
【図３】
0006606892.tif 000004
【図４】
0006606892.tif 000005
【図５】
0006606892.tif 000006